(57)【要約】【課題】  十分な強度と吸水性を併せ持つ架橋構造体およびそれを可能にする溶融成型可能なポリアルキレンオキサイド共重合体を提供する。【解決手段】  下記化学式（１）で表される繰返し単位からなるポリアルキレンオキサイド共重合体であって、荷重２．１６ｋｇ、１００℃で測定されるメルトフローレートＭＦＲが、０．００１≦ＭＦＲ（ｇ／１０分）≦１０００であることを特徴とするポリアルキレンオキサイド共重合体。    ［(CH2CH2O) l 、(CH2CH(CH2OH)O) m 、(CH2CHRO) n ］      （１）（ただし、式中ｌ、ｍ、ｎは高分子主鎖に含有される各繰返し単位のｍｏｌ％を表わし、ｌ＋ｍ＋ｎ＝１００である。ｌ、ｍ、ｎは、０＜ｌ＜１００、かつ０＜ｍ＜１００、かつ０≦ｎ＜１００を満たす。また、０．００１≦ｍ／（ｌ＋ｍ＋ｎ）≦０．３を満たし、かつ共重合体の重量平均分子量が５００以上、１００００００以下である。Ｒは炭素数１以上、３０以下の官能基またはハロゲンである。）【選択図】  なし【特許請求の範囲】
【請求項１】
下記化学式（１）で表される繰返し単位からなるポリアルキレンオキサイド共重合体であって、荷重２．１６ｋｇ、１００℃で測定されるメルトフローレートＭＦＲが、０．００１≦ＭＦＲ（ｇ／１０分）≦１０００であることを特徴とするポリアルキレンオキサイド共重合体。
［(CH2CH2O) l 、(CH2CH(CH2OH)O) m 、(CH2CHRO) n ］      （１）
（ただし、式中ｌ、ｍ、ｎは高分子主鎖に含有される各繰返し単位のｍｏｌ％を表わし、ｌ＋ｍ＋ｎ＝１００である。ｌ、ｍ、ｎは、０＜ｌ＜１００、かつ０＜ｍ＜１００、かつ０≦ｎ＜１００を満たす。また、０．００１≦ｍ／（ｌ＋ｍ＋ｎ）≦０．３を満たし、かつ共重合体の重量平均分子量が５００以上、１００００００以下である。Ｒは炭素数１以上、３０以下の官能基またはハロゲンである。）
【請求項２】
式（１）において、ｎ＝０であることを特徴とする請求項１記載のポリアルキレンオキサイド共重合体。
【請求項３】
式（１）において、ｌ、ｍおよびｎが、０．０１≦ｍ／（ｌ＋ｍ＋ｎ）≦０．２であることを特徴とする請求項１または２に記載のポリアルキレンオキサイド共重合体。
【請求項４】
式（１）においてｌ、ｍおよびｎが、０．０１≦ｍ／（ｌ＋ｍ＋ｎ）≦０．１であり、かつ該共重合体の重量平均分子量が５０００以上、１０００００以下であることを特徴とする請求項１または２に記載のポリアルキレンオキサイド共重合体。
【請求項５】
式（１）で表される共重合体であって、荷重２．１６ｋｇ、１００℃で測定されるメルトフローレートＭＦＲが、０．０１≦ＭＦＲ（ｇ／１０分）≦１００であることを特徴とする請求項１〜４のいずれかに記載のポリアルキレンオキサイド共重合体。
【請求項６】
請求項１〜５のいずれかに記載のポリアルキレンオキサイド共重合体および架橋剤を含む組成物であって、該架橋剤がエポキシ基、イソシアネート基、カルボキシル基、エステル基、ホルミル基から選ばれる１種類以上の官能基を少なくとも２個以上有する化合物であることを特徴とする架橋構造体形成用組成物。
【請求項７】
請求項６に記載の架橋構造体形成用組成物を架橋してなる架橋構造体。
【請求項８】
請求項６に記載の架橋構造体形成用組成物を３００℃以下で反応させることを特徴とする架橋構造体の製造方法。
【請求項９】
請求項７に記載の架橋構造体および膨潤剤からなることを特徴とする膨潤剤含有架橋構造体。
【請求項１０】
膨潤剤の含有量が０．１重量％以上、９９．９重量％以下であることを特徴とする請求項９に記載の膨潤剤含有架橋構造体。
【請求項１１】
該膨潤剤が水であることを特徴とする請求項９または１０に記載の膨潤剤含有架橋構造体。
【請求項１２】
請求項１〜５のいずれかに記載の共重合体または請求項７に記載の架橋構造体または請求項９〜１１のいずれかに記載の膨潤剤含有架橋構造体の生体組織または体液と接触する部分への使用。
【発明の詳細な説明】
【技術分野】
【０００１】
本発明は、ポリアルキレンオキサイド共重合体およびその架橋構造体に関する。詳しくは、側鎖にヒドロキシル基を有し、溶融流動性及び溶融成型性に優れたポリアルキレンオキサイド共重合体、及び該共重合体を架橋剤により架橋してなる強度と吸水性のバランスに優れた架橋構造体に関する。
【背景技術】
【０００２】
従来より、ポリエチレングリコール、ポリプロピレングリコール、高分子量ポリエチレングリコールであるポリエチレンオキサイド等に代表されるポリアルキレンオキサイドは、分散作用、凝集作用、増粘作用等に優れていることから、各種産業用途に広く用いられている。
例えば、紙処理剤や樹脂改質剤、凝集剤などの一般工業用添加剤用途、界面活性剤、増粘剤、皮膚平滑剤などの化粧品や食品工業用途、蛋白質処理剤、医療容器、医薬品、生化学用材料としての医療用途等が挙げられる。
特に、ポリエチレンオキサイドは高い水和能を有し、タンパク質吸着抑制能があり、さらには、一般的に生体組織に対して不活性であることが知られており、多くの医療用具や医療用材料として、特に皮膚等の生体組織や血液等の体液と接触する部材として有用である。
【０００３】
一方、ポリエチレングリコールやポリエチレンオキサイドを、γ線等の放射線により架橋したり、その末端のヒドロキシル基を利用して、種々の架橋剤により架橋して得られる架橋構造体も、同様に、生体組織に対して不活性となる傾向にあることが知られており、創傷被覆材用途やドラッグデリバリーシステム用担体用途等での利用が、例えば、特許文献１および特許文献２などで提案されている。
これら一般的なポリアルキレンオキサイドからなる架橋構造体は、例えば、創傷被覆材等の医療用具や医療用材料として用いられる場合には、使用中に破断しない等の破断強度に代表される十分な物理的強度が要求される。
【０００４】
ところで、これら通常用いられるポリアルキレンオキサイドからなる架橋構造体は、一般に吸水性を有しており、吸水した状態であるハイドロゲルとしても有用である。例えば、上記創傷被覆材用途では、ハイドロゲル状態での利用が提案されており、さらには創傷部位の湿潤状態の保持や、創傷部位から出る体液の吸収性が要求され、これら医療用材料としては該吸水性能が高いことが、上記物理的強度と同時に、架橋構造体の性能として強く求められている。
しかしながら、ポリエチレンオキサイドに代表されるポリアルキレンオキサイドは、一般的には、ヒドロキシル基を分子鎖の両末端のみに有するため、得られる架橋構造体は、破断強度等の物理的強度が低い傾向にある。その傾向は、ポリエチレンオキサイドの分子量の増加にともない顕著であり、例えば、重量平均分子量が１万を超える高分子量のポリエチレングリコールを用いて架橋剤により架橋することにより得られる架橋構造体は、十分な吸水性は有するものの、破断強度が低い。
【０００５】
また、ポリエチレンオキサイドの分子量が低い場合には、破断強度が増加する傾向にある一方で、吸水性が低下する傾向にある。
例えば、特許文献２では、低分子量のポリエチレングリコールの両末端に加水分解可能な反応性官能基を導入することにより、架橋ポリエチレングリコールを製造する方法が提案されている。しかしながら、得られる架橋構造体は吸水性が低い。
同様に、ポリプロピレングリコールを架橋剤とともに架橋して得られる架橋構造体は、破断強度が改善されるものの、吸水性が著しく低下する傾向にある。
従って、ポリアルキレンオキサイドを分子鎖の基本骨格とした架橋構造体において、強度と吸水性のバランスを満たすことが困難であった。
また、高分子を成型加工する際の指標として、メルトフローレートが挙げられる。これは、溶液状態にあるポリマーの流動性を示す指標であり、値が大きいほど溶融時の流動性や加工性は良好となるが、引張り強さ、耐ストレスクラッキング性が低下することが知られている。架橋構造体を形成する際にも、メルトフローレートの値が大きすぎる高分子を用いると、得られる架橋構造体の強度が低くなる傾向にあり、小さすぎる高分子を用いると、成型しにくいことも知られており、成型しやすく、かつ強度の高い架橋構造体を得ることは困難であった。
【０００６】
【特許文献１】特公平０６−００７８５８号公報
【特許文献２】特表２００１−５１８５２８号公報
【発明の開示】
【発明が解決しようとする課題】
【０００７】
本発明の課題は、ポリエチレンオキサイドを基本骨格とした溶融成型可能な溶融流動性を有し、さらに架橋剤により架橋させることにより、十分な強度と吸水性を併せ持つ架橋構造体を得ることができる新規なポリアルキレンオキサイド共重合体を提供することである。
【課題を解決するための手段】
【０００８】
本発明者らは上記課題を解決するために鋭意検討した結果、側鎖に特定量のヒドロキシル基を有するポリアルキレンオキサイド共重合体を用いることにより、得られる架橋構造体の強度が著しく向上することを見出した。また、驚くべきことに重量平均分子量およびメルトフローレートの量が特定の範囲内にある共重合体が、良好に溶融成型可能であり、溶融状態で架橋剤と容易に混練でき、さらには架橋剤と架橋構造体をなした場合に、吸水性を保持し、かつ強度が向上することを見出し本発明を完成するに至った。
【０００９】
即ち本発明は、以下の通りのものである。
［１］下記化学式（１）で表される繰返し単位からなるポリアルキレンオキサイド共重合体であって、荷重２．１６ｋｇ、１００℃で測定されるメルトフローレートＭＦＲが、０．００１≦ＭＦＲ（ｇ／１０分）≦１０００であることを特徴とするポリアルキレンオキサイド共重合体。
［(CH2CH2O) l 、(CH2CH(CH2OH)O) m 、(CH2CHRO) n ］      （１）
（ただし、式中ｌ、ｍ、ｎは高分子主鎖に含有される各繰返し単位のｍｏｌ％を表わし、ｌ＋ｍ＋ｎ＝１００である。ｌ、ｍ、ｎは、０＜ｌ＜１００、かつ０＜ｍ＜１００、かつ０≦ｎ＜１００を満たす。また、０．００１≦ｍ／（ｌ＋ｍ＋ｎ）≦０．３を満たし、かつ共重合体の重量平均分子量が５００以上、１００００００以下である。Ｒは炭素数１以上、３０以下の官能基またはハロゲンである。）
【００１０】
［２］式（１）において、ｎ＝０であることを特徴とする［１］記載のポリアルキレンオキサイド共重合体。
［３］式（１）において、ｌ、ｍおよびｎが、０．０１≦ｍ／（ｌ＋ｍ＋ｎ）≦０．２であることを特徴とする上記［１］または［２］に記載のポリアルキレンオキサイド共重合体。
［４］式（１）において、ｌ、ｍおよびｎが、０．０１≦ｍ／（ｌ＋ｍ＋ｎ）≦０．１であり、かつ該共重合体の重量平均分子量が５０００以上、１０００００以下であることを特徴とする上記［１］または［２］に記載のポリアルキレンオキサイド共重合体。
［５］式（１）で表される共重合体であって、荷重２．１６ｋｇ、１００℃で測定されるメルトフローレートＭＦＲが、０．０１≦ＭＦＲ（ｇ／１０分）≦１００であることを特徴とする上記［１］〜［４］のいずれかに記載のポリアルキレンオキサイド共重合体。
【００１１】
［６］上記［１］〜［５］のいずれかに記載のポリアルキレンオキサイド共重合体および架橋剤を含む組成物であって、該架橋剤が、エポキシ基、イソシアネート基、カルボキシル基、エステル基、ホルミル基、から選ばれる１種類以上の官能基を少なくとも２個以上有する化合物であることを特徴とする架橋構造体形成用組成物。
［７］上記［６］に記載の架橋構造体形成用組成物を架橋してなる架橋構造体。
［８］上記［６］に記載の架橋構造体形成用組成物を３００℃以下で反応させることを特徴とする架橋構造体の製造方法。
［９］上記［７］に記載の架橋構造体および膨潤剤からなることを特徴とする膨潤剤含有架橋構造体。
［１０］膨潤剤の含有率が０．１重量％以上、９９．９重量％以下であることを特徴とする上記［９］に記載の膨潤剤含有架橋構造体。
［１１］該膨潤剤が水であることを特徴とする上記［９］または［１０］に記載の膨潤剤含有架橋構造体。
［１２］上記［１］〜［５］のいずれかに記載の共重合体または上記［７］に記載の架橋構造体または上記［９］〜［１１］のいずれかに記載の膨潤剤含有架橋構造体の生体組織または体液と接触する部分への使用。
【００１２】
本発明について、以下具体的に説明する。
本発明のポリアルキレンオキサイド共重合体は、式（１）で表される繰返し単位からなる。
［(CH2CH2O) l 、(CH2CH(CH2OH)O) m 、(CH2CHRO) n ］      （１）
式（１）におけるＲは、炭素数１以上、３０以下の官能基またはハロゲンであれば何ら限定されない。ここで、炭素数１以上、３０以下の化合物に由来する官能基には、ハロゲン原子及び／又はヘテロ原子を含むことが可能である。本発明におけるハロゲン原子には、フッ素、塩素、臭素、ヨウ素が挙げられる。また、本発明におけるヘテロ原子とは、酸素、硫黄、窒素、リンが挙げられる。
【００１３】
本発明における炭素数１以上、３０以下の官能基には、飽和炭化水素基、不飽和炭化水素基、芳香族炭化水素基などが挙げられる。本発明において、該炭化水素基にハロゲン原子及び／又はヒドロキシル基等のヘテロ原子を含む官能基を有していても良い。
また、本発明における炭素数１以上、３０以下の官能基（Ｒ）は、Ｒが結合する炭素原子に直接結合していても、ヘテロ原子を介して結合していても良い。
上記炭化水素基としては、メチル基、エチル基、プロピル基、ブチル基、ペンチル基、ヘキシル基、シクロヘキシル基、シクロデシル基、シクロオクチル基などが挙げられる。  上記不飽和炭化水素基としては、ビニル基、アリル基などが挙げられる。
上記芳香族炭化水素基としては、フェニル基、ベンジル基、ナフチル基などが挙げられる。
【００１４】
また、ヘテロ原子を介して上記官能基が結合した場合の官能基としては、メトキシ基、エトキシ基、プロポキシ基、フェノキシ基などのエーテル結合を介した官能基、メチルチオ基、エチルチオ基、フェニルチオ基などのチオエーテル結合を介した官能基、ＯＣＯＣＨ3 、ＯＣＯＣ2 Ｈ5 、ＯＣＯＣ6 Ｈ5 、などのエステル結合を介した官能基、ＯＰＯ（ＯＨ）2 などのリン酸エステル結合を介した官能基などが挙げられる。これらの中でも、入手のし易さ、取扱いの良さから炭化水素基およびエーテル結合を介した官能基がより好ましく、炭化水素基が特に好ましい。
本発明において、式（１）のＲの炭素数が３０を超える場合は、該共重合体の疎水性が高くなる傾向にあるため、架橋して得られる架橋構造体の吸水性が低下する傾向にあり好ましくない。Ｒの炭素数は１以上、２０以下であることが好ましく、１以上、１０以下が特に好ましい。
【００１５】
本発明におけるポリアルキレンオキサイド共重合体の末端は、架橋構造体の性能に影響を与えない構造であれば、特に制限はない。このような構造としては、ヒドロキシル基、アルコキシル基、さらには重合触媒に由来する有機金属化合物がエーテル結合を介して結合していても良い。その中でも、ヒドロキシル基が、架橋剤との反応において架橋に関与する場合が、得られる架橋構造体の破断強度が向上する傾向にあるため、望ましい。
本発明における高分子主鎖に含有される各繰返し単位のｍｏｌ％で表されるｌ、ｍ、ｎは、ｌ＋ｍ＋ｎ＝１００、かつ０．００１≦ｍ／（ｌ＋ｍ＋ｎ）≦０．３であれば溶融成型可能でありかつ得られる架橋構造体は、十分な強度を有する。ｍ／（ｌ＋ｍ＋ｎ）が０．００１未満の場合、共重合体に含まれるヒドロキシル基の割合が小さいため、得られる架橋構造体が十分な強度を持つことができない傾向にある。また、ｍ／（ｌ＋ｍ＋ｎ）が０．３を超える場合、架橋剤との反応において架橋が早く進行するため、溶融成型時の溶融流動性が低下する。そしてそれに起因して得られる架橋構造体の強度が低くなる傾向にある。溶融成型性と得られる架橋構造体の強度のバランスを向上させるには０．０１≦ｍ／（ｌ＋ｍ＋ｎ）≦０．２であることが好ましく、更に好ましくは０．０１≦ｍ／（ｌ＋ｍ＋ｎ）≦０．１である。
【００１６】
本発明の化学式（１）におけるｎは、０≦ｎ＜１００であるが、０≦ｎ≦１０の範囲が、架橋して得られる架橋構造体の吸水性および破断強度が高くなる傾向にあるため好ましく、さらには、ｎ＝０の場合が特に好ましい。
本発明における重量平均分子量とは、既知の重量平均分子量のポリエチレンオキサイドを標準として、ゲルパーミエーションクロマトグラフィーによって測定される。
本発明に用いるポリアルキレンオキサイド共重合体の重量平均分子量は５００以上１００００００以下である。該分子量が５００未満の場合は、得られる架橋構造体の破断強度が低下する傾向にある。また１００００００を超える場合は、溶融流動性が低く、成型性が著しく低下し、さらには、架橋剤を用いて架橋構造体を得る場合、架橋剤との溶融混練性が低く、均一に混練することが困難となる傾向にあり、また得られる架橋構造体の破断強度が低下する傾向にある。本発明において、該分子量は１０００以上、５０００００以下が好ましく、特に５０００以上１０００００が好ましい。
【００１７】
本発明におけるポリアルキレンオキサイド共重合体のＭＦＲ（ｇ／１０分）の値は、０．００１以上、１０００以下である。本発明のおけるＭＦＲは、２．１６ｋｇの荷重下、１００℃において、ＪＩＳ−Ｋ−７２１０に準じて測定される値である。ＭＦＲの値が０．００１未満の場合、架橋剤との溶融混練時に均一に混練することが困難である。また、溶融混練時のせん断発熱が高くなる傾向にあり、共重合体が分解したり、架橋剤との反応を制御できない傾向にある。また、１０００を超える場合は、破断強度が低下する傾向にある。本発明においては、該ＭＦＲが０．００５以上、５００以下が好ましく、特に０．０１以上、１００以下が好ましい。
本発明に用いるポリアルキレンオキサイド共重合体は、ランダム共重合体であってもブロック共重合体であっても良い。
【００１８】
以下に本発明に用いる共重合体の製造方法について説明する。
本発明の共重合体は、炭素−炭素−酸素からなる三員環であるオキシラン基を有する各種単量体化合物を、所望の共重合体組成になるように直接重合することにより得ても良いし、ハロゲンを有する各種単量体化合物を、所望の共重合体組成になるように重合した後に、公知の方法によって、ハロゲンをヒドロキシル基にすることにより得ても良いし、または、ヒドロキシル基を後工程で生成させる目的で、ヒドロキシル基を保護した単量体を共重合することにより保護基含有共重合体を得、ついで後工程として脱保護反応により、ヒドロキシル基を生成させることにより本発明の共重合体を得ても良い。
本発明でも用いられる重合法は、特に制限は無いが、通常のエチレンオキサイド等のオキシラン化合物の重合に用いられる、触媒を用いた開環重合法が好適に用いられる。
本発明においては、上記開環重合法は、塊状重合、溶液重合、スラリー重合等の形態で適宜実施可能であるが、反応熱の制御の観点から、溶液重合、スラリー重合が好適であり、さらには、得られる共重合体の精製の簡便さの観点から、スラリー重合が特に好適である。
【００１９】
本発明における直接重合により共重合体を得る方法としては、エチレンオキサイドとグリシドールを共重合させる方法などが挙げられる。
本発明におけるハロゲンを有する各種単量体化合物を、所望の共重合体組成になるように重合した後に、公知の方法によって、ハロゲンをヒドロキシル基にすることにより得る方法としては、エチレンオキサイドとエピクロロヒドリン、エピブロモヒドリンなどのハロゲンを有する化合物を共重合させた後に、アルカリ処理などによってヒドロキシル基に変換する方法などが挙げられる。
所望の共重合体組成の制御が容易である観点から、ヒドロキシル基を後工程で生成させる目的で、ヒドロキシル基を保護した単量体を共重合することにより保護基含有共重合体を得、ついで後工程として脱保護反応により、ヒドロキシル基を生成させる方法が、最も好適である。
そこで、以下にスラリー重合による開環重合によってヒドロキシル基を保護した共重合体を得た後に、該保護基を脱保護することによって本発明の共重合体を得る方法を例にあげて本発明に用いることができる共重合体の製造条件について説明する。
【００２０】
本発明において使用される重合溶媒としては、ジメチルエーテル、ジエチルエーテル、メチルエチルエーテル、テトラヒドロフラン、ジオキサン、エチレングリコールジメチルエーテルのような炭素数２以上６以下のエーテル化合物、アセトン、メチルエチルケトンのような炭素数２以上６以下のケトン化合物、ノーマルペンタン、シクロペンタン、ノーマルヘキサン、シクロヘキサン、メチルシクロヘキサン、デカリンのような炭素数５以上１０以下の飽和炭化水素化合物、ベンゼン、トルエン、キシレン、メシチレン、テトラリンのような炭素数６以上１０以下の芳香族炭化水素化合物、酢酸メチル、酢酸エチルのような炭素数３以上６以下のエステル化合物、アセトニトリル、Ｎ，Ｎ−ジメチルホルムアミド、Ｎ，Ｎ−ジメチルアセトアミド、Ｎ−メチル−２−ピロリドンのような炭素数２以上１０以下の含窒素化合物、ジメチルスルホキシドのような含硫黄化合物が挙げられる。また、無溶媒中でも実施される。これらは工業的な生産性、次反応への影響などを考慮して任意に選択可能であり、必要に応じて１種、あるいは２種以上の混合物であっても良い。特に好ましい溶媒としては炭素数２以上６以下エーテル化合物および炭素数５以上１０以下の飽和炭化水素化合物が挙げられる。
【００２１】
本発明における重合触媒は特に制限されないが、トリアルキルアルミニウム、水酸化物、アルカリ金属アルコキシドなどの公知の化合物から適宜選択できる。具体的なこれらの化合物には、トリエチルアルミニウム、トリブチルアルミニウムなどのトリアルキルアルミニウムや、トリフェニルアルミニウム、三フッ化ホウ素エーテル錯体、あるいは水酸化ナトリウム、水酸化カリウム、水酸化セシウムなどの水酸化物、あるいはナトリウムメトキシド、ナトリウムエトキシド、ナトリウムプロポキシド、ナトリウム-tert-ブトキシド、カリウムプロポキシド、カリウム-tert-ブトキシド、カリウム-tert-２−メチル−２−ブトキシドなどのアルカリ金属アルコキシドが挙げられる。また、必要に応じて１種、あるいは２種以上の混合物であっても良い。この中でも特に、入手の容易さや反応の制御の観点からカリウム-tert-ブトキシド、トリエチルアルミニウム、トリフェニルアルミニウム、トリブチルアルミニウムが好ましい。
【００２２】
本発明における重合温度は１５℃以上、１２０℃以下で実施することが好ましい。１５℃以上であれば重合が開始され、また１２０℃以下であれば重合触媒の失活が無い。好ましくは２０℃以上、１００℃以下、さらに好ましくは２０℃以上、８０℃以下である。
重合反応に要する時間は、目的あるいは重合条件によって異なるが、通常は９６時間以内であり、特に好適には３０分から３０時間の範囲で実施される。
重合終了後における本発明の共重合体の回収は、重合溶液中の固体を減圧濾過することにより行うことができる。
以上、保護基を含んだ共重合体をスラリー重合方法による開環重合で得る方法を例として記載した。
【００２３】
続いて、上記重合方法により得られるヒドロキシル基を保護した共重合体から、保護基を脱保護する方法について記載する。
脱保護方法としては、導入した保護基によって、公知の方法を適宜選択可能である。例えば、ｔ−ブチル基やエトキシエチル基などが保護基の場合は酸処理、アセチル基などが保護基の場合は塩基処理、ベンジル基などが保護基の場合には水素添加処理などが挙げられる。脱保護工程の簡便さから、酸処理による脱保護が好適に用いられる。
そこで、以下に保護基としてｔ−ブチル基を用いた場合の本発明の共重合体を得る方法を例に挙げて、本発明に用いることができる共重合体の製造方法について説明する。
【００２４】
本発明において使用される脱保護溶媒としては、ジメチルエーテル、ジエチルエーテル、メチルエチルエーテル、テトラヒドロフラン、ジオキサン、エチレングリコールジメチルエーテルのような炭素数２以上６以下のエーテル化合物、アセトン、メチルエチルケトンのような炭素数２以上６以下のケトン化合物、ノーマルペンタン、シクロペンタン、ノーマルヘキサン、シクロヘキサン、メチルシクロヘキサン、デカリンのような炭素数５以上１０以下の飽和炭化水素化合物、ベンゼン、トルエン、キシレン、メシチレン、テトラリンのような炭素数６以上１０以下の芳香族炭化水素化合物、酢酸メチル、酢酸エチルのような炭素数３以上６以下のエステル化合物、アセトニトリル、Ｎ，Ｎ−ジメチルホルムアミド、Ｎ，Ｎ−ジメチルアセトアミド、Ｎ−メチル−２−ピロリドンのような炭素数２以上１０以下の含窒素化合物、ジメチルスルホキシドのような含硫黄化合物および水が挙げられる。また、無溶媒中でも実施される。これらは工業的な生産性、次反応への影響などを考慮して任意に選択可能であり、必要に応じて１種、あるいは２種以上の混合物であっても良い。特に好ましい溶媒としては水、炭素数２以上６以下エーテル化合物および炭素数３以上６以下のエステル化合物が挙げられる。
【００２５】
本発明の脱保護に用いる酸は、特に制限されないが、無機酸、有機酸、ルイス酸およびイオン交換樹脂などの公知の化合物から適宜選択できる。具体的なこれらの化合物としては、塩酸、硫酸、硝酸、臭化水素酸などの無機酸、酢酸、トリフルオロ酢酸、ギ酸などの有機酸、三臭化ホウ素などのルイス酸などが挙げられる。また、必要に応じて１種、あるいは２種以上の混合物であっても良い。この中でも特に、入手の容易さや反応の制御の観点から塩酸、硫酸、硝酸、イオン交換樹脂が好ましく、塩酸、イオン交換樹脂が特に好ましい。
本発明における脱保護反応温度は１５℃以上、１２０℃以下で実施することが好ましい。１５℃以上であれば反応が開始され、また１２０℃以下であれば副反応等が無い。好ましくは２０℃以上、１００℃以下、さらに好ましくは２０℃以上、９５℃以下である。
脱保護反応に要する時間は、反応条件によって異なるが、通常は９６時間以内であり、特に好適には３０分から３０時間の範囲で実施される。
脱保護反応終了後における本発明に用いる共重合体の回収は、反応溶液中の固体を減圧濾過することにより行うことができる。
【００２６】
本発明の共重合体の精製方法としては、共重合体を溶解させた後に、蒸留水を外液とする透析により行うことができる。得られた透析液を０．２２μｍのフィルターを用いて濾過することにより、更に精製することができる。これらの精製方法を繰り返すことにより、残留金属原子を必要十分な濃度に達するまで除去することができる。更に特別に高純度な共重合体が必要な場合には二酸化炭素超臨界法による抽出法も可能である。重合体中の残量金属原子濃度は上記の精製法を用いて０．０１ｗｔｐｐｍ以上、１５００ｗｔｐｐｍ以下にすることができる。好ましくは０．０１ｗｔｐｐｍ以上、３００ｗｔｐｐｍ以下、更に好ましくは０．０１ｗｔｐｐｍ以上、１０ｗｔｐｐｍ以下である。
本発明の共重合体は、該共重合体が有するヒドロキシル基と反応し、架橋構造体を形成できる官能基を少なくとも２個以上有する化合物である架橋剤とからなる、架橋構造体形成用組成物を得ることができる。
本発明におけるヒドロキシル基と反応し、架橋構造体を形成できる官能基としては、エポキシ基、イソシアネート基、カルボキシル基、エステル基、ホルミル基などが挙げられる。また、シランカップリング剤のような化合物も用いることができる。
【００２７】
２個以上のエポキシ化合物を有する化合物としては、エチレングリコールジグリシジルエーテル、ポリエチレングリコールジグリシジルエーテル、プロピレングリコールジグリシジルエーテル、ポリプロピレングリコールジグリシジルエーテル、テトラメチレンジグリシジルエーテル、ポリテトラメチレンジグリシジルエーテル、１，６−ヘキサンジオールジグリシジルエーテル、グリセリンジグリシジルエーテル、グリセリントリグリシジルエーテル、ポリグリセリンポリグリシジルエーテル、エリスリトールジグリシジルエーテル、エリスリトールトリグリシジルエーテル、ペンタエリスリトールジグリシジルエーテル、ペンタエリスリトールトリグリシジルエーテル、ペンタエリスリトールテトラグリシジルエーテル、ソルビトールジグリシジルエーテル、ソルビトールトリグリシジルエーテル、ソルビトールテトラグリシジルエーテル、ソルビトールペンタグリシジルエーテル、ソルビトールヘキサグリシジルエーテル、ジグリセロールポリグリシジルエーテル、トリグリシジルトリス（２−ヒドロキシエチル）イソシアヌレート、トリメチロールプロパンポリグリシジルエーテル、レソルシノールジグリシジルエーテル、ヒドロキノンジグリシジルエーテル、ネオペンチルグリコールジグリシジルエーテルなどが挙げられる。
【００２８】
２個以上のイソシアネート基を有する化合物としては、デュラネート（商標）、トリレンジイソシアネート、ジフェニルメタンジイソシアネート、１，５−ナフタレンジイソシアネート、トリジンジイソシアネート、トリフェニルメタントリイソシアネート、トリスー（ｐ−イソシアネートフェニル）チオホスファイト、ポリメチレンポリフェニルイソシアネート、ヘキサメチレンジイソシアネート、イソホロンジイソシアネート、キシリレンジイソシアネート、リジンジイソシアネート、テトラメチルキシレンジイソシアネート、１，６，１１−ウンデカントリイソシアネート、１，３，６−ヘキサメチレントリイソシアネート、ビシクロヘプタントリイソシアネート、１，４−ジイソシアネートブタン、１，１２−ジイソシアネートドデカン、１，６−ジイソシアネートヘキサン、１，５−ジイソシアネート−２−メチルペンタン、１，８−ジイソシアネートオクタン、１−クロロメチル−２，４−ジイソシアネートベンゼン、４，４’−メチレン−ビス（シクロヘキシルイソシアネート）などが挙げられる。
【００２９】
２個以上のカルボキシル基を有する化合物としては、シュウ酸、マロン酸、コハク酸、メチルコハク酸、グルタール酸、１，１−ジメチル−１，３−ジカルボキシプロパン、ブタン−１，２，３−トリカルボン酸メチル、ブタンテトラカルボン酸などが挙げられる。  ２個以上のエステル基を有する化合物としては、シュウ酸ジメチルエステル、シュウ酸ジエチルエステル、マロン酸ジメチルエステル、マロン酸ジエチルエステル、マロン酸ジプロピルエステル、コハク酸ジメチルエステル、コハク酸ジエチルエステル、エチルマロン酸ジエチルエステル、グルタール酸ジメチルエステルなどが挙げられる。
２個以上のホルミル基を有する化合物としては、グリオキサール、グルタルジアルデヒドなどが挙げられる。
【００３０】
シランカップリング剤としては、ビニルトリメトキシシラン、ビニルトリエトキシシラン、γ−クロロプロピルトリメトキシシラン、γ−アミノプロピルトリエトキシシラン、アミノエチル−アミノプロピル−メチルジメトキシシラン、グリシドキシプロピルトリメトキシシラン、グリシドキシプロピルメチルジメトキシシラン、メタクリロキシプロピルトリメトキシシラン、メルカプトプロピルトリメトキシシランなどが挙げられる。
これらの化合物は、必要に応じて１種または２種以上の混合物であってもよい。
これらの化合物の中でも、イソシアネート基を２個以上有する化合物が入手のし易さ、取扱いのし易さなどから好ましく、その中で、デュラネート（商標）、トリレンジイソシアネート、ジフェニルメタンジイソシアネートが特に好ましい。
本発明で用いるデュラネート（商標）には、ビウレット型、イソシアヌレート型、アダクト型などの構造が挙げられる。
【００３１】
本発明のポリアルキレンオキサイド共重合体と架橋剤とからなる架橋構造体形成用組成物は、架橋構造体が製造される当量比であれば、特に制限されない。その中でも、架橋剤の当量が０．１以上、１０以下が好ましい。０．１未満の場合は、強度の高い架橋構造体を製造することが困難となる傾向にある。また、１０を超える場合には未反応の化合物が残る傾向にある。得られる架橋構造体の強度と未反応の化合物の残存の観点から、０．２以上、５以下がより好ましい。
本発明のポリアルキレンオキサイド共重合体と架橋剤とからなる架橋構造体形成用組成物は、架橋構造体を製造する際もしくは得られる架橋構造体に悪影響を及ぼさない範囲で、その他の化合物を含有することができる。
【００３２】
その他の化合物とは、ヒドロキシル基やアミノ基などの反応性官能基を有する化合物である。このような化合物としては、エチレングリコール、プロピレングリコール、ポリエチレングリコール、ポリプロピレングリコール、ポリテトラメチレンオキサイド、ポリエチレングリコール−ポリプロピレングリコールなどのヒドロキシル基を有する化合物やエチレンジアミン、エタノールアミン等のアミノ基を有する化合物などが挙げられる。
本発明におけるその他化合物の量としては、本発明の共重合体と架橋剤とからなる架橋構造体形成用組成物の量を１００とした場合、得られる架橋構造体の強度と吸水性の観点から、通常１５重量％以下である。
【００３３】
続いて、本発明における架橋構造体の製造方法について記載する。
本発明の架橋構造体は、本発明の共重合体と架橋剤とからなる架橋構造体形成用組成物を架橋することによって、得ることができる。
本発明の架橋方法には、該架橋構造体形成用組成物を水または有機溶媒に溶解及び／又は分散させることによっても得ることができ、また、該架橋構造体形成用組成物を無溶媒下で反応させることによっても得ることができる。
該架橋構造体形成用組成物を水または有機溶媒に溶解及び／又は分散させる方法としては、架橋構造体形成用組成物を水または有機溶媒に溶解及び／又は分散させた後に、共重合体と架橋剤が反応しうる温度以上にて反応する方法が挙げられる。また、必要に応じて、触媒を添加することができる。
【００３４】
該架橋構造体形成用組成物を無溶媒下で反応させることによって得る方法としては、本発明の共重合体および架橋剤が溶融する温度以上で反応させることにより架橋構造体を得る方法が挙げられる。また、必要に応じて、触媒を添加することができる。
得られる架橋構造体の強度および収率の観点から、該架橋構造体形成用組成物を無溶媒下で反応させる方法が好ましい。そこで、以下、該架橋構造体形成用組成物を無溶媒下で反応させる製造方法を例に挙げて、本発明の架橋構造体の製造方法を説明する。
該製造方法における反応温度は、２０℃以上、３００℃以下で実施することが好ましい。２０℃以上であれば、共重合体および架橋剤の溶融が可能であり、３００℃以下であれば、熱分解等の副反応が無い。好ましくは、３０℃以上、２５０℃以下、さらに好ましくは、５０℃以上、２００℃以下である。
該架橋構造体の製造に要する時間は、反応条件によって異なるが、通常は２４時間以内であり、特に好適には１分から３時間の範囲で実施される。
【００３５】
本発明の架橋構造体の精製方法としては、水または有機溶媒に浸漬させることにより、不純物を取り除くことができる。
本発明における架橋構造体は、膨潤剤を含んだ膨潤剤含有架橋構造体としても利用可能である。
本発明における膨潤剤とは、水または公知の有機溶媒の中から適宜選択可能である。この中でも、取扱いの良さや入手の容易さなどから水または炭素数１以上１０以下のアルコール化合物が好ましく、水が特に好ましい。
本発明における水には、膨潤剤含有架橋構造体に悪影響を及ぼさない範囲で、無機塩または有機塩などを含有させることができる。本発明における無機塩としては、塩化ナトリウム、塩化カリウム、リン酸二水素ナトリウム、リン酸水素二ナトリウムなどが挙げられる。有機塩としては、酢酸ナトリウム、酢酸カリウムなどが挙げられる。
本発明における無機塩または有機塩の割合は、全組成物の重量を１００重量％とした場合、通常１５重量％以下である。
【００３６】
本発明の膨潤剤含有架橋構造体における膨潤剤は、０．１重量％以上、９９．９重量％以下であれば特に制限されない。０．１重量％以上であれば、膨潤剤含有架橋構造体中に均一に水分子が入り込むために好ましく、９９．９重量％以下であれば、膨潤剤含有架橋構造体が十分な強度を持つことができる。好ましくは、１重量％以上、９９重量％以下であり、特に好ましくは５重量％以上、９５％以下である。
本発明における共重合体、架橋構造体、膨潤剤含有架橋構造体は、医療材料として広く用いられているポリエチレングリコール骨格を有するため、優れた生体適合性を発揮しうる。本発明における生体適合性とは、生体と相互作用しないこと、または生体と干渉作用をしないこと、または生体に対して不活性であることを意味する。従って、本発明の共重合体、架橋構造体、膨潤剤含有架橋構造体は、その優れた生体適合性ゆえに、体液または生体組織などと接触する部分に用いることができる。体液とは、血液、リンパ液、脊髄液、関節液などが挙げられる。また、生体組織とは、臓器および組織を指し、肝臓、膵臓、腎臓、脾臓などの内臓組織や上皮組織、結合組織、血球・骨髄組織、筋肉、骨、軟骨、血管、目、脂肪組織、消化管・消化管粘膜、神経組織などが挙げられる。
【実施例】
【００３７】
＜試薬＞
実施例および比較例において、用いた試薬であるヘキサン（和光純薬工業社製、特級）、トリイソブチルアルミニウム１Ｍヘキサン溶液（Ａｌｄｒｉｃｈ社製）およびカリウムｔ−ブトキシド１ＭＴＨＦ溶液（Ａｌｄｒｉｃｈ社製）、エチレンオキサイド、ｔ−ブチルグリシジルエーテル（Ａｌｄｒｉｃｈ社製）、ｎ−ブチルグリシジルエーテル（Ａｌｄｒｉｃｈ社製）、蒸留水（和光純薬工業社製）、４Ｎ塩酸−１，４−ジオキサン（国産化学社製）、塩酸（和光純薬工業社製）、炭酸ナトリウム（和光純薬工業社製、特級）、ドデシル硫酸ナトリウム（和光純薬工業社製、生化学用）、牛血清アルブミン（ＳＩＧＭＡ社製）は特別な精製を実施せずに、反応に用いた。
【００３８】
＜脱保護反応に用いた触媒＞
本発明の脱保護反応を行う際に用いたイオン交換樹脂（ＢｉｏＲａｄ  Ｌａｂｏｒａｔｏｒｉｅｓ社製）は、２０℃で５Ｎ塩酸水溶液中で２４時間浸漬し、蒸留水で洗浄した後に用いた。
＜精製＞
重合により得られた共重合体を、蒸留水（共栄製薬社製）に溶解した後に、Ｓｐｅｔｒａ／Ｐｏｒ  Ｍｅｍｂｒａｎｅ（スペクトラポア社製、ＭＷＣＯ：１２０００−１４０００）（商標）に入れ、蒸留水を外液とする透析を２日間行った。次いで得られた水溶液をＤＵＲＡＰＯＲＥ  ＭＥＭＢＲＡＮＥ  ＦＩＬＴＥＲＳ（ＭＩＬＬＩＰＯＲＥ社製、フィルタータイプ０．２２μｍ  ＧＶ）（商標）により濾過し、凍結乾燥することにより精製を行った。
【００３９】
＜重量平均分子量測定＞
本発明における重量平均分子量の測定法であるゲルパーミエーションクロマトグラフィー（ＧＰＣ）は、下記の条件により測定を行った。
カラム：Ｇ４０００ＰＷＸＬ（東ソー（株）製）、
Ｇ５０００ＰＷＸＬ（東ソー（株）製）
以上２本を直列に配した。
移動相：２０％アセトニトリル（５０ｍＭ塩化リチウムを含む）
流速：０．８ｍｌ／分
カラム温度：４０℃
ポンプ：Ｌ−６２００（（株）日立製作所製）
検出器：Ｌ−３３００（ＲＩ：示差屈折計、（株）日立製作所製）
Ｌ−４２００（ＵＶ−ＶＩＳ：紫外可視吸光計、（株）日立製作所製）
また、該分子量を算出するための検量線は、スタンダードポリエチレンオキサイド（ＴＯＳＯＨ製、重量平均分子量が２．４０×１０4 、５．００×１０4 、１．０７×１０5 、１．４０×１０5 、２．５×１０5 、５．４×１０5 の６種類）を用いて作成した。
【００４０】
＜ＮＭＲ測定＞
ＮＭＲ測定は、ＪＥＯＬ社製、ＪＮＭ−ＧＳＸ４００を用いた。測定に用いた溶媒は、重ジメチルスルフォキシド（Ｃａｍｂｒｉｄｇｅ  Ｉｓｏｔｏｐｅ  Ｌａｂｏｒａｔｏｒｉｅｓ社製、純度９９．９ｗｔ％、内部標準０．０５ｗｔ％テトラメチルシラン含有）であり、共重合体５．０×１０-3ｇに対して重ジメチルスルフォキシド５．０×１０-4リットルの濃度で測定を行った。測定温度は３０℃にて行った。
＜共重合体の組成割合の測定＞
本発明におけるエチレンオキサイド単量体に由来する繰り返し単位の組成割合ｌおよび（ＣＨ2 ＣＨ（ＣＨ2 ＯＨ）Ｏ）のヒドロキシル基をｔ−ブチル基で保護した繰り返し単位の組成割合ｐおよび（ＣＨ2 ＣＨＲＯ）に由来する繰り返し単位の組成割合ｎ（Ｒがｎ−ブチル基の場合について記述する。）は、前述のＮＭＲ測定により求めた。前述の測定条件において、ｔ−ブチル基に由来するピークは、δ１．１１に観測された。また、ｎ−ブチル基に由来するピークは、δ１．５５に観測された。また、ポリエチレングリコールに由来するピークは、δ３．４０〜４．１５に観測された。そしてこれらの積分比から、組成割合ｍｏｌ％を求めた。また、ｔ−ブチル基の組成割合ｐと脱保護反応後に得られるヒドロキシル基の組成割合ｍは同値であると仮定し、ｐ＝ｍとした。
【００４１】
＜ＭＦＲ測定＞
本発明におけるＭＦＲの測定は、ＪＩＳ−Ｋ−７２１０に基づき、ＭＦＲ測定装置（ＭＥＬＴ  ＩＮＤＥＸＥＲ  Ａ−１１１Ｍ、東洋精機社製）を用いて測定を行った。荷重２．１６ｋｇ、シリンダー内の温度１００℃にて測定を行い、シリンダー内に共重合体を入れた後の３分後に、一定時間あたり流出してくる試料の重量を測定し、１０分間の流出重量値に換算することによりＭＦＲの値（ｇ／１０分）とした。
＜架橋構造体の吸水量測定＞
本発明における吸水量測定は、あらかじめ恒量になるまで乾燥させた架橋構造体の重量を測定（以下、乾燥重量とする。）した後に、２０℃で２４時間、大多量の水中に浸漬することにより架橋構造体を膨潤させ、重量を測定（以下、膨潤重量とする。）した。
そして、吸水量＝（膨潤重量―乾燥重量）／乾燥重量の式より吸水量を算出した。
【００４２】
＜破断強度測定＞
本発明における破断強度の測定（以下、強度測定とする。）は、クリープメータＲＨＥＯＮＥＲ：３３００５（山電社製）を用いて行った。治具は、Ｎｏ．４、直径３ｍｍのポリアセタール樹脂製プランジャーを用いた。速度は、０．５ｍｍ／分、歪率２０％の応力を測定した。
＜タンパク吸着量測定＞
本発明におけるタンパク吸着の測定は、厚さ１ｍｍに加工した膨潤剤含有架橋構造体を直径１３ｍｍに切り取った後に、Ｃｏｓｔａｒ；２４穴プレート（商標）（コーニング社製、商品番号３５４２）に入れ、３５ｍｇ／ｍｌの牛血清アルブミン（ＳＩＧＭＡ社製）溶液を加えた後に３７℃で２４時間で接触させた。この膨潤剤含有架橋構造体を大量のリン酸緩衝溶液中、室温で２４時間浸漬した後に、１重量％Ｎａ2 ＣＯ3 −ドデシル硫酸ナトリウム水溶液を加え、６０℃で２４時間接触させることにより膨潤剤含有架橋構造体に吸着しているタンパクを抽出した。この抽出液をＭｉｃｒｏ  ＢＣＡ  Ｐｒｏｔｅｉｎ  Ａｓｓａｙ  Ｒｅａｇｅｎｔ  Ｋｉｔ（商標）（ＰＩＥＲＣＥ社製）を用いてタンパク吸着量を測定した。
【００４３】
［実施例１］
耐圧反応容器に、ｔ−ブチルグリシジルエーテル（０．０４２ｌ）、エチレンオキサイド（０．０８５ｌ）、トリイソブチルアルミニウム１Ｍヘキサン溶液（４．５×１０-3ｍｏｌ）、カリウムｔ−ブトキシド１Ｍ；ＴＨＦ溶液（０．５×１０-3ｍｏｌ）、ヘキサン（０．２５ｌ）を加え、２５℃で２０時間反応を行った。析出した固体を減圧濾過した後に、蒸留水（共栄製薬社製）に溶解させ、Ｓｐｅｔｒａ／Ｐｏｒ  Ｍｅｍｂｒａｎｅ（スペクトラポア社製、ＭＷＣＯ：１２０００−１４０００）（商標）に入れ、蒸留水を外液とする透析を２日間行った。次いで得られた水溶液をＤＵＲＡＰＯＲＥ  ＭＥＭＢＲＡＮＥ  ＦＩＬＴＥＲＳ（ＭＩＬＬＩＰＯＲＥ社製、フィルタータイプ０．２２μｍ  ＧＶ）（商標）により濾過し、凍結乾燥することによりｔ−ブチル基で保護した共重合体を得た後に、ｔ−ブチル基で保護した該共重合体（１０．０ｇ）と蒸留水（０．２ｌ）および５Ｍ塩酸水溶液（０．００７ｌ）を入れ、９０℃で２４時間加熱撹拌した。この溶液を室温まで冷却した後に、減圧濃縮し、再び上記の精製を行うことにより目的の共重合体（１）を得た。
【００４４】
［実施例２］
耐圧反応容器に、ｔ−ブチルグリシジルエーテル（０．０１３６ｌ）、エチレンオキサイド（０．１ｌ）、トリイソブチルアルミニウム１Ｍヘキサン溶液（４．６×１０-3ｍｏｌ）、カリウムｔ−ブトキシド１Ｍ；ＴＨＦ溶液（０．５２×１０-3ｍｏｌ）、ヘキサン（０．３ｌ）を加え、２５℃で２０時間反応を行った。実施例１と同様の条件で回収、精製を行い、ｔ−ブチル基で保護した共重合体を得た後に、ｔ−ブチル基で保護した該共重合体（１０．０ｇ）と蒸留水（０．２ｌ）およびイオン交換樹脂（０．０２４ｌ）を入れ、９０℃で２４時間加熱撹拌した。この溶液を室温まで冷却した後に、減圧濃縮し、実施例１と同様の条件で回収、精製を行い目的の共重合体（２）を得た。
【００４５】
［実施例３］
耐圧反応容器に、ｔ−ブチルグリシジルエーテル（０．０１３ｌ）、ｎ−ブチルグリシジルエーテル（０．００９ｌ）、エチレンオキサイド（０．１ｌ）、トリイソブチルアルミニウム１Ｍヘキサン溶液（５．０×１０-3ｍｏｌ）、カリウムｔ−ブトキシド１Ｍ；ＴＨＦ溶液（０．７×１０-3ｍｏｌ）、ヘキサン（０．３ｌ）を加え、２５℃で２０時間反応を行った。実施例１と同様の条件で回収、精製を行い、ｔ−ブチル基で保護した共重合体を得た後に、ｔ−ブチル基で保護した該共重合体（１０．０ｇ）と４Ｎ塩化水素の１，４−ジオキサン溶液（０．２ｌ）を入れ、２５℃で２４時間撹拌した。この溶液を減圧濃縮し、実施例１と同様の条件で回収、精製を行い目的の共重合体（３）を得た。
【００４６】
［実施例４］
耐圧反応容器に、ｔ−ブチルグリシジルエーテル（０．０１３２ｌ）、エチレンオキサイド（０．１ｌ）、トリイソブチルアルミニウム１Ｍヘキサン溶液（４．３×１０-2ｍｏｌ）、カリウムｔ−ブトキシド１Ｍ；ＴＨＦ溶液（０．４７×１０-2ｍｏｌ）、ヘキサン（０．３ｌ）を加え、２５℃で２０時間反応を行った。実施例１と同様の条件で回収、精製を行い、ｔ−ブチル基で保護した共重合体を得た後に、ｔ−ブチル基で保護した該共重合体（１０．０ｇ）と蒸留水（０．２ｌ）およびイオン交換樹脂（０．０２４ｍｌ）を入れ、９０℃で２４時間加熱撹拌した。この溶液を室温まで冷却した後に、減圧濃縮し、実施例１と同様の条件で回収、精製を行い目的の共重合体（４）を得た。
〔ＭＦＲの測定〕
ＭＦＲ測定装置のシリンダー内を１００℃に保った後に、共重合体（（１）〜（４））のそれぞれを入れ、溶融するまで静置した後に、１０秒間に出てくる共重合体の重量を測定し、１０分間あたりに換算し、ＭＦＲの値とした。
表１に、本発明の共重合体（共重合体（１）〜（４））の重量平均分子量およびｍ／（ｌ＋ｍ＋ｎ）およびＭＦＲの値を記した。
【００４７】
［実施例５］
１５０℃に保ったホットプレート上に、共重合体（１）（１．０ｇ）およびイソシアヌレート型デュラネート（商標）であるＴＰＡ−１００（０．１７ｇ）を置き、よく混練した後に１０分間静置することにより、目的の架橋構造体（５）を得た。
［実施例６］
１５０℃に保ったホットプレート上に、共重合体（２）（１．０ｇ）およびイソシアヌレート型デュラネート（商標）であるＴＰＡ−１００（０．１６ｇ）を置き、よく混練した後に１２分間静置することにより、目的の架橋構造体（６）を得た。
【００４８】
［実施例７］
１５０℃に保ったホットプレート上に、共重合体（３）（１．０ｇ）およびイソシアヌレート型デュラネート（商標）であるＴＰＡ−１００（０．１７ｇ）を置き、よく混練した後に１０分間静置することにより、目的の架橋構造体（７）を得た。
［実施例８］
１５０℃に保ったホットプレート上に、共重合体（４）（１．０ｇ）およびイソシアヌレート型デュラネート（商標）であるＴＰＡ−１００（０．２８ｇ）を置き、よく混練した後に９分間静置することにより、目的の架橋構造体（８）を得た。
【００４９】
〔膨潤剤含有架橋構造体の製造〕
本発明の架橋構造体（（５）〜（８））のそれぞれ（１．０ｇ）を、５０ｍｌのサンプルビンに入れた後に、蒸留水（０．０２ｌ）を入れ、２０℃で２０時間浸漬することにより、目的の膨潤剤含有架橋構造体（９）〜（１２）を得た。
〔破断強度の測定〕
本発明の膨潤剤含有架橋構造体（（９）〜（１２））をＮｏ．４  直径３ｍｍのポリアセタール樹脂製プランジャーを用いて、クリープメータＲＨＥＯＮＥＲ  ３３００５にて破断強度の測定を行った。速度は、０．５ｍｍ／分、歪率２０％の応力を測定した。
【００５０】
〔アルブミン吸着量の測定〕
本発明の膨潤剤含有架橋構造体（（９）〜（１２））を、厚さ１ｍｍに加工した後に直径１３ｍｍに切り取り、Ｃｏｓｔａｒ  ２４穴プレート（商標）に入れ、３５ｍｇ／ｍｌのアルブミン溶液（０．００１ｌ）を加えた後に、３７℃で２４時間で接触させた。この組成物をのリン酸緩衝溶液（１０ｍｌ）中、室温で２４時間浸漬した後に、１重量％Ｎａ2 ＣＯ3 −ドデシル硫酸ナトリウム水溶液（０．４ｍｌ）を加え、６０℃で２４時間接触させることにより膨潤剤含有架橋構造体に吸着しているアルブミンを抽出した。この抽出液をＭｉｃｒｏ  ＢＣＡ  Ｐｒｏｔｅｉｎ  Ａｓｓａｙ  Ｒｅａｇｅｎｔ  Ｋｉｔ（商標）を用いてアルブミン吸着量を測定した。
表２に、本発明の膨潤剤含有架橋構造体（（９）〜（１２））の吸水量、破断強度、タンパク吸着量の値を記した。
【００５１】
［比較例１］
耐圧反応容器に、ｔ−ブチルグリシジルエーテル（４．２×１０-3ｌ）、エチレンオキサイド（０．０８５ｌ）、トリイソブチルアルミニウム１Ｍヘキサン溶液（５．５×１０-3ｍｏｌ）、カリウムｔ−ブトキシド１Ｍ；ＴＨＦ溶液（０．８×１０-3ｍｏｌ）、ヘキサン（０．４ｌ）を加え、２５℃で２０時間反応を行った。実施例１と同様の条件で回収、精製を行い、ｔ−ブチル基で保護した共重合体を得た後に、耐圧容器に該共重合体（１０ｇ）および蒸留水（０．２ｌ）および５Ｍ塩酸水溶液（０．００７ｌ）を入れ、９０℃で２４時間加熱撹拌した。この溶液を室温まで冷却した後に、減圧濃縮し、実施例１と同様の条件で回収、精製を行い共重合体を得た。
【００５２】
［比較例２］
耐圧反応容器に、ｔ−ブチルグリシジルエーテル（０．０３８ｌ）、エチレンオキサイド（０．０８５ｌ）、トリイソブチルアルミニウム１Ｍヘキサン溶液（１．３×１０-5ｍｏｌ）、カリウムｔ−ブトキシド１Ｍ；ＴＨＦ溶液（０．７×１０-5ｍｏｌ）、ヘキサン（０．４ｌ）を加え、２５℃で２０時間反応を行った。実施例１と同様の条件で回収、精製を行い、ｔ−ブチル基で保護した共重合体を得た後に、耐圧容器に該共重合体（１０ｇ）および蒸留水（２．０ｌ）および５Ｍ塩酸水溶液（０．０８ｌ）を入れ、９０℃で４８時間加熱撹拌した。この溶液を室温まで冷却した後に、減圧濃縮し、実施例１と同様の条件で回収、精製を行い共重合体を得た。
【００５３】
［比較例３］
耐圧反応容器に、ｔ−ブチルグリシジルエーテル（０．２１ｌ）、エチレンオキサイド（０．０８５ｌ）、トリイソブチルアルミニウム１Ｍヘキサン溶液（１．３×１０-5ｍｏｌ）、カリウムｔ−ブトキシド１Ｍ；ＴＨＦ溶液（０．７×１０-5ｍｏｌ）、ヘキサン（０．４ｌ）を加え、２５℃で２０時間反応を行った。実施例１と同様の条件で回収、精製を行い、ｔ−ブチル基で保護した共重合体を得た後に、耐圧容器に該共重合体（１０ｇ）および蒸留水（２．０ｌ）および５Ｍ塩酸水溶液（０．０８ｌ）を入れ、９０℃で４８時間加熱撹拌した。この溶液を室温まで冷却した後に、減圧濃縮し、実施例１と同様の条件で回収、精製を行い共重合体を得た。
【００５４】
［比較例４］
耐圧反応容器に、ｔ−ブチルグリシジルエーテル（０．１３６ｌ）、エチレンオキサイド（０．１ｌ）、トリイソブチルアルミニウム１Ｍヘキサン溶液（０．８５ｍｏｌ）、カリウムｔ−ブトキシド１Ｍ；ＴＨＦ溶液（０．０８３ｍｏｌ）、ヘキサン（０．３ｌ）を加え、２５℃で２０時間反応を行った。実施例１と同様の条件で回収、精製を行い、ｔ−ブチル基で保護した共重合体を得た後に、耐圧容器に該共重合体（１０ｇ）および蒸留水（２．０ｌ）および５Ｍ塩酸水溶液（０．０８ｌ）を入れ、９０℃で４８時間加熱撹拌した。この溶液を室温まで冷却した後に、減圧濃縮し、実施例１と同様の条件で回収、精製を行い共重合体を得た。
〔ＭＦＲの測定〕
実施例１〜４と同様にして、比較例１〜４のＭＦＲを測定した。
表１に、比較例１〜４の共重合体の重量平均分子量およびｍ／（ｌ＋ｍ＋ｎ）およびＭＦＲの値を記した。
【００５５】
［比較例５］
１５０℃に保ったホットプレート上に、比較例１の共重合体（１．０ｇ）およびイソシアヌレート型デュラネート（商標）であるＴＰＡ−１００（０．０８ｇ）を置き、よく混練した後に２８分間静置することにより、架橋構造体を得た。
［比較例６］
１５０℃に保ったホットプレート上に、比較例２の共重合体（１．０ｇ）およびイソシアヌレート型デュラネート（商標）であるＴＰＡ−１００（０．１０ｇ）を置き、よく混練した後に１２０分間静置することにより、架橋構造体を得た。
［比較例７］
１５０℃に保ったホットプレート上に、比較例３の共重合体（１．０ｇ）およびイソシアヌレート型デュラネート（商標）であるＴＰＡ−１００（０．３０ｇ）を置き、よく混練した後に１２０分間静置することにより、架橋構造体を得た。
【００５６】
［比較例８］
１５０℃に保ったホットプレート上に、比較例４の共重合体（１．０ｇ）およびイソシアヌレート型デュラネート（商標）であるＴＰＡ−１００（０．２０ｇ）を置き、よく混練したが、架橋構造体を得ることはできなかった。
得られた比較例５〜８の架橋構造体を、実施例４〜８の架橋構造体（（５）〜（８））のそれぞれと同様に処理して、膨潤剤含有架橋構造体を製造した。
各比較例の膨潤剤含有架橋構造体を実施例の膨潤剤含有架橋構造体と同様に処理して、破断強度の測定を行った。
各比較例の膨潤剤含有架橋構造体を実施例の膨潤剤含有架橋構造体と同様に処理して、アルブミン吸着量を測定した。
表２に、比較例の各膨潤剤含有架橋構造体の吸水量、破断強度、タンパク吸着量の値を記した。
【００５７】
比較例２、３では、分子量が１００００００を超える共重合体は、溶融流動性が著しく低いことから、溶融混練時に架橋剤と均一に混練しないため、混練時に架橋が開始してしまい、安定した架橋構造体の製造が困難であり、得られた架橋構造体の破断強度も著しく低いことがわかる。また、実施例１〜４および比較例１の比較から、ヒドロキシル基の割合が少ない共重合体を用いた架橋構造体は、強度が著しく低いことがわかる。また、比較例４で得られた共重合体は、吸湿が激しく、架橋構造体製造時に必要な共重合体の予備乾燥が困難であり、架橋構造体を得ることができなかった。以上のことから、本発明における共重合体により得られる架橋構造体は、強度と吸水性のバランスに優れることがわかった。また、実施例６〜９および比較例５〜８の比較から、本発明の架橋構造体は、アルブミンの吸着量が低いことがわかった。
【００５８】
【表１】
2006233024.tif 000002
【００５９】
【表２】
2006233024.tif 000003
【産業上の利用可能性】
【００６０】
本発明の共重合体は、溶融成型に必要な流動性を十分に有していることから、成型性に優れた共重合体として使用される。また、該共重合体と架橋剤による架橋構造体は、強度と吸水性のバランスに優れていることから、医療材料等の分野で使用される。また、本発明における共重合体、架橋構造体および膨潤剤含有架橋構造体は、タンパク質と相互作用を起こさないという意味で、血漿蛋白接着抑制効果、血小板の粘着および活性化の抑制効果、補体系の活性化の抑制効果を有する。その結果、例えば、人工腎臓用膜、血漿分離膜、人工肺用膜、人工血管、癒着防止膜、創傷被覆材、人工皮膚、白血球除去膜、血漿蛋白回収・分離・除去膜、血小板回収、細胞回収・分離・除去膜等の生体材料、医療用材料、細胞分離用材料および細胞培養用材料の構成材料として使用される。